(57)【要約】【課題】前身頃及び後身頃の袖刳り部に余裕部を付加することなく、高い運動機能性と優れた外観品質及びデザイン性とを両立できる上衣を提供する。【解決手段】上衣１は、前身頃２及び後身頃３と袖部２１とを備えており、前記袖部２１の袖山部２５は、肩先に対応するショルダーポイントＳＰから湾曲して下降する第１の湾曲部２６と、この第１の湾曲部の所定の変曲部ＩＰから湾曲して上昇して、前記前身頃２及び後身頃３の袖刳り部（アームホール）７の鎌底部１１に至る第２及び第３の湾曲部２７，２８とを備えており、この第２及び第３の湾曲部２７，２８のうち前記鎌底部１１に対応する部位（袖山端部）２９ａ，２９ｂが前記ショルダーポイントＳＰと同等若しくはショルダーポイントＳＰよりも低い位置に位置している。【選択図】図１
2020190038.tif 000002
【特許請求の範囲】
【請求項１】
前身頃及び後身頃と袖部とを備えた上衣であって、
着衣状態において、前記袖部の袖山部が、肩先に対応するショルダーポイントから湾曲して下降する第１の湾曲部と、この第１の湾曲部の両側部に位置し、前記第１の湾曲部の所定の変曲部から湾曲して上昇して、前記前身頃及び後身頃のアームホールの鎌底部に至る第２及び第３の湾曲部とを備えており、この第２及び第３の湾曲部のうち前記鎌底部に対応する部位が前記ショルダーポイントと同等若しくはショルダーポイントよりも低い位置に位置している、上衣。
【請求項２】
展開状態において、袖部の袖山部が、下記（１）又は（２）のいずれかの形態を有する請求項１記載の上衣。
（１）ショルダーポイントから両側部方向に湾曲して下降する山形状の第１の湾曲部と、この第１の湾曲部の両側部にそれぞれ第２の湾曲部と第３の湾曲部とが位置する形態
（２）ショルダーポイントから両側部方向に湾曲して下降する第１の湾曲部と、この第１の湾曲部の一方の側部に、第２の湾曲部と第３の湾曲部とが袖下線を共有して形成された山形状の湾曲部が位置する形態
【請求項３】
前身頃及び後身頃の袖刳り部に余裕部を付加することなく、袖部と前袖部と後袖部とが互いに縫着されている請求項１又は２記載の上衣。
【請求項４】
袖部の前袖部及び後袖部において、それぞれ、変曲部から鎌底部に対応する部位への長さが、ショルダーポイントから前記変曲部への長さと同等又は大きい請求項１〜３のいずれかに記載の上衣。
【請求項５】
着衣状態において、変曲部が、袖幅方向において、前袖部及び後袖部の中央部に位置する請求項１〜４のいずれかに記載の上衣。
【請求項６】
非伸縮性生地及び／又は伸びにくい生地で形成されている請求項１〜５のいずれかに記載の上衣。
【請求項７】
長袖、八分袖、七分袖、五分袖及び半袖から選択された少なくとも一種の袖部を備えた請求項１〜６のいずれかに記載の上衣。
【請求項８】
第２及び第３の湾曲部の領域により脇下部に運動部が付与されている請求項１〜７のいずれかに記載の上衣。
【発明の詳細な説明】
【技術分野】
【０００１】
本発明は、運動性に優れ、しかもデザイン性が高く、ビジネスシャツ、カジュアルシャツ、パジャマなどとして有用な上衣に関する。
【背景技術】
【０００２】
スポーツウェアなどの上衣には、装飾性又はデザイン性とともに運動機能性が求められる。実開昭６０−７１６２１号公報（特許文献１）には、袖身頃の袖付縫目線の曲率半径を、Ｓ字状の形態で、肩上側で前後身頃の袖付縫目線よりも小さくし、脇下側で前後身頃の袖付縫目線よりも大きくして、袖身頃と前後身頃とを縫製した上衣が記載されている。しかし、この上衣では、脇下と肩上とに放射状皺襞が生じ、デザイン性及び外観品質を損なう虞がある。
【０００３】
ＷＯ２００９／１２５４８７号公報（特許文献２）には、袖部（前袖部及び後袖部）を身頃（前身頃及び後身頃）に縫合する基準位置部分が、肩先に対応するショルダーポイントよりも身頃側に向かって突出し、袖部の前後縫着部と身頃の縫着端部との境界点よりも身頃側に向かって突出した上衣が記載されている。この文献には、袖部のショルダーポイントから対称形状に前後縫着部が湾曲し、この前後縫着部の頂部がショルダーポイントよりも突出していることも記載されている。この上衣は、身頃が袖に引っ張られることなく、上腕を上下方向及び前後方向に動かすことができる。しかし、この上衣では、運動量を大きくしており、肩部に膨らみ部又は皺部が生じやすい。さらに、袖が前身頃の肩線よりも上側に位置するため、装飾性及びデザイン性が損なわれる。さらには、前後縫着部の頂部がショルダーポイントよりも突出しているため、生地に無駄が生じ易く、経済的でない。
【０００４】
特開平９−９５８０９号公報（特許文献３）には、腕を体に対して左右の斜め上へ振り上げたときに発生する張力に対して、袖口と上腕上部の接触部分を起点として、腕の前側を通って脇の下から脇の後へ向かう方向と、上腕の後側から肩こう骨へ向かう方向との、二方向に運動に必要な最小限のゆとりを、上記生地に加えたスポーツウエアが記載され、袖部のショルダーポイントからの湾曲度を大きくして後身頃に対応する部分に袖余裕部を形成し、この余裕部に対応する後身頃の部分には、脇部を含め、後身頃余裕部を形成した状態が図示されている。しかし、このようなスポーツウェアでは、袖部及び後身頃の双方で運動量を確保しており、横方向への腕の運動には追従可能であっても、上方向への腕の動きに追従できず、突っ張りが生じる。さらに、袖部がショルダーポイントから湾曲して前身頃及び後身頃と縫着されているため、スポーツウェアの肩部に膨らみ部又は皺部が生じやすい。さらに、脇部にも幅広の余裕部が生じる。そのため、デザイン性の点で改良の余地がある。
【０００５】
実開昭６０−５２９１８号公報（特許文献４）には、袖の前後袖付け線の途中部に、くさび型にくられた谷部を設け、前後身頃の前身頃袖付線及び後身頃袖付線が入り込んでくさび型にくられ、前記袖の谷部の底部を、前身頃袖付線の胸幅線及び後身頃袖付線の背幅線と交わる前身頃及び後身頃の直線部上に位置させ、かつ袖の脇袖下部を伸縮自在とした上衣が記載されている。この文献には、袖のショルダーポイントから対称形状に湾曲し、くられた谷部の底部を経て、膨らんだ小さな山部（舌片状山部）で袖の脇袖下部（バイアス部）を形成し、上腕の上下方向への運動がしやすく、脇袖下部（バイアス部）により腕の前後左右方向の動きに順応できることが記載されている。しかし、前身頃袖付線及び後身頃袖付線が入り込んでくさび型にくられているため、袖ぐりが広くなり、デザイン性が低下する虞がある。また、前身頃及び後身頃が直線部を備えているため、この点からも装飾性及びデザイン性を改善する余地がある。さらに、脇袖下部にバイアスを形成すると、縫製作業性が低下する。特に、脇袖下部（バイアス部）に対応させて、前後身頃も修正する必要がある。すなわち、脇袖下部（バイアス部）に対応させて、身頃の鎌底の位置を下げて袖ぐりを大きくする必要がある。
【０００６】
このように、従来の上衣では、上腕を降ろした自然な状態では、皺や膨出部などが生じなくても、上腕を上方へ挙げた状態では、身頃が持ち上がり運動機能性が低下する。特に、非伸縮性生地及び伸びにくい生地を用いて長袖を形成すると、上腕を降ろした自然な状態では、外観デザイン性が大きく低下し、上腕を上方へ挙げようとすると、身頃が引っ張られて運動機能性が大きく低下する。そのため、デザイン性及び外観品質と運動機能性とを両立できない。特に、身頃を修正することなく、運動機能性とデザイン性及び外観品質とを両立できない。
【先行技術文献】
【特許文献】
【０００７】
【特許文献１】実開昭６０−７１６２１号公報（実用新案登録請求の範囲、第１図〜第４図）
【特許文献２】ＷＯ２００９／１２５４８７号公報（特許請求の範囲、図１〜図４）
【特許文献３】特開平９−９５８０９号公報（請求項２、図１、図２）
【特許文献４】実開昭６０−５２９１８号公報（第２頁１４行〜第４頁第１８行、第１図〜第３図）
【発明の概要】
【発明が解決しようとする課題】
【０００８】
従って、本発明の目的は、皺部や脹らみ部が生成するのを防止でき、高い運動機能性と優れた外観品質及びデザイン性とを両立できる上衣を提供することにある。
【０００９】
本発明の他の目的は、生地を有効に利用でき、脇袖下部にバイアスを形成しなくても上下方向への運動量が大きく、しかも外観品質に優れた上衣を提供することにある。
【００１０】
本発明のさらに他の目的は、身頃（前身頃及び後身頃）を修正（身頃のシルエットを変更）しなくても、しかも非伸縮性生地及び伸びにくい生地で長袖を形成しても、袖部の形態で運動量を大きくでき、運動機能性及びデザイン性を両立できる上衣を提供することにある。
【課題を解決するための手段】
【００１１】
本発明者らは、前記課題を達成するため鋭意検討した結果、身頃のシルエットを変えることなく、袖部の形態を工夫し、袖部の袖山部を、ショルダーポイントから両側部方向に湾曲して下降する第１の湾曲部（湾曲下降部）と、この第１の湾曲部の所定の変曲部から湾曲して上昇して前記前身頃及び後身頃のアームホールの鎌底部に至る第２及び第３の湾曲部（湾曲上昇部）とで形成し、第２及び第３の湾曲部のうち前記鎌底部に対応する部位（袖山端部）の位置を前記ショルダーポイントと同等（又は同じ）若しくはショルダーポイントよりも低く位置させると、身頃のシルエットを変えることなく、前記第２及び第３の湾曲部により袖下に余裕部（運動部）を形成でき、運動機能性とデザイン性とを両立できることを見いだし、本発明を完成した。
【００１２】
すなわち、本発明の上衣は、身頃（前身頃及び後身頃）と袖部とを備えており、着衣状態において、この袖部の袖山部が、肩先に対応するショルダーポイントから湾曲して下降する第１の湾曲部（両側部方向に湾曲して下降する湾曲下降部）と、この第１の湾曲部の両側部にそれぞれ位置し、前記第１の湾曲部の所定の変曲部から湾曲して上昇して、前記前身頃及び後身頃のアームホールの鎌底部に至る第２及び第３の湾曲部（湾曲上昇部）とを備えている。この第２及び第３の湾曲部（湾曲上昇部）のうち前記鎌底部に対応する部位(湾曲上昇部の端部又は鎌底部との縫着部)が前記ショルダーポイントと同等若しくはショルダーポイントよりも低い位置に位置している。すなわち、袖山部の袖付け部（袖付け線）は、前記第１の湾曲部（湾曲下降部）の袖付け部（袖付け線）と、前記第２及び第３の湾曲部（湾曲上昇部）の袖付け部（袖付け線）とを備えており、この第２及び第３の湾曲部（湾曲上昇部）の袖付け部（袖付け線）のうち前記鎌底部に対応する部位(鎌底部との縫着部)は、前記ショルダーポイントと同等若しくはショルダーポイントよりも低い位置に位置している。このような袖部を利用すると、身頃のシルエットを変えることなく、しかも肩線から袖部が上方に延びることなく、第２及び第３の湾曲部により脇下部に運動部（又は余裕部）を形成できる。そのため、デザイン性（外観品質）及び運動機能性（例えば、上下方向への運動機能性）を高めることができる。
【００１３】
なお、展開状態において、袖部の袖山部は、下記（１）又は（２）のいずれかの形態を有していてもよい。
【００１４】
（１）ショルダーポイントから両側部方向に湾曲して下降する山形状の第１の湾曲部と、この第１の湾曲部の両側部にそれぞれ第２の湾曲部と第３の湾曲部とが位置する形態；
（２）ショルダーポイントから両側部方向に湾曲して下降する第１の湾曲部と、この第１の湾曲部の一方の側部に、第２の湾曲部と第３の湾曲部とが袖下線を共有して形成された山形状の湾曲部が位置する形態
【００１５】
さらに、前身頃及び後身頃の袖刳り部に余裕部を付加することなく、袖部と前袖部と後袖部とを互いに縫着し、デザイン性（外観品質）及び運動機能性（例えば、上下方向への運動機能性）を高めてもよい。
【００１６】
前記袖部の前袖部及び後袖部において、前記変曲部から鎌底部に対応する部位に至る長さは、ショルダーポイントから前記変曲部へ至る長さと同等又はこの長さより大きくてもよい。前袖部及び後袖部の第２及び第３の湾曲部の袖付け部（袖付け線）の長さを大きくすることにより、脇下部での運動量を大きくできる。
【００１７】
さらに、着衣状態において、前記変曲部は、袖幅方向において、前袖部及び後袖部の中央部（又は中央域）に位置していてもよい。このような部位に変曲部を位置させると、デザイン性を損なうことなく、運動量を大きくできる。
【００１８】
そのため、本発明の上衣では、非伸縮性生地及び／又は伸びにくい生地で形成しても、第２及び第３の湾曲部の領域により脇下部に運動部（又は余裕部）を付与でき、運動量を確保できる。また、長袖、八分袖、七分袖、五分袖及び半袖から選択された少なくとも一種の袖部を備えていてもよい。
【００１９】
なお、本明細書中、「上衣」は、「上着」と同義に用いる場合があるとともに、少なくとも上半身に着衣される衣類、例えば、上衣とスカートとが連なったワンピース、つなぎなどの衣類も包含する。また、ラグランタイプの上衣では、展開図において、肩先に位置するショルダーポイントを基準として、袖部のうち袖口側の部位（又は山形の領域）を袖山部と称することができる。さらに、袖山部の幅方向において、袖山部の湾曲部（例えば、第２及び第３の湾曲部）と袖下線との交点部を、袖山端部という場合がある。さらには、袖山部の形態（第１乃至第３の湾曲部の形態）は、ショルダーポイントを基準とした着衣状態での形態を意味する。
【発明の効果】
【００２０】
本発明では、第１の湾曲部と第２及び第３の湾曲部とを備えているため、皺部や脹らみ部が生成するのを防止でき、常態（腕を下に降ろした状態）では、第２及び第３の湾曲部の領域で形成された余裕部が脇下部に位置するため、余裕部が露呈することがなく、優れた外観品質及びデザイン性を有する。また、第２及び第３の湾曲部の領域で大きな運動量の余裕部を形成できるため、高い運動機能性も備えている。そのため、高い外観品質及びデザイン性と高い運動機能性とを両立できる。さらに、第２及び第３の湾曲部の端部がショルダーポイントと同等若しくはショルダーポイントよりも低い位置にあるため、生地の裁断無駄が生じることがなく、生地を有効に利用でき、脇袖下部にバイアスを形成しなくても上下方向への運動量が大きく、しかも外観品質を向上できる。さらに、身頃のシルエットを変更することなく、しかも非伸縮性生地で長袖を形成しても、袖部の形態で運動量が大きくでき、運動機能性及びデザイン性を両立できる。
【図面の簡単な説明】
【００２１】
【図１】図１は本発明の上衣（セットインタイプの上衣）の前身頃、後身頃、袖部の一例を示す展開図である。
【図２】図２は図１の袖部を示す展開図である。
【図３】図３は図１に示す上衣の使用状態を示す概略図である。
【図４】図４は本発明の上衣（セットインタイプの上衣）の前身頃及び後身頃の他の例を示す展開図である。
【図５】図５は図４の前身頃及び後身頃と組み合わせて使用できる袖部の他の例を示す展開図である。
【図６】図６は本発明の上衣（ラグランタイプの上衣）の前身頃、後身頃、袖部のさらに他の例を示す展開図である。
【発明を実施するための形態】
【００２２】
以下に添付図面を参照しつつ、本発明を詳細に説明する。図１はセットイン一枚袖（セットインスリーブ）で形成された長袖を備えた上衣を作製するためのパターン（型紙）を示しており、図２は図１の一枚袖で形成された袖部を示している。
【００２３】
上衣１は、前身頃２及び後身頃３と、長袖を形成するための袖部２１とを備えている。なお、前記前身頃２及び後身頃３は、それぞれ、幅方向の中心線（前中心線（一点鎖線で示す仮想線）１４及び後中心線（一点鎖線で示す仮想線）１５）を中心として対称（線対称）又は非対称の形態で形成されている。そのため、この図では、前記前身頃２及び後身頃３の半分を図示している。また、前身頃２、後身頃３、及び袖部２１は非伸縮性生地及び／又は伸びにくい生地で形成されている。
【００２４】
前記前身頃２及び後身頃３は、それぞれ、円弧状又は湾曲状の襟刳り（衿ぐり）部４を形成するための前襟刳り（衿ぐり）部５及び後襟刳り（衿ぐり）部６と、袖部と縫着するための円弧状又は湾曲状の袖刳り部（アームホール）７とを備えており、前後襟刳り（衿ぐり）部５，６の縁部は、それぞれ、前襟刳り線（又は線状縫着部若しくは縫い代）５ａ及び後襟刳り線（又は線状縫着部若しくは縫い代）６ａを形成している。
【００２５】
前記前身頃２及び後身頃３の袖刳り部（アームホール）７の縁部は、肩線１０上に位置するショルダーポイント（着衣状態で肩先に対応する部位又は点）ＳＰを有しており、このショルダーポイントを中心として、それぞれ、前袖刳り線（又は線状の前袖刳り縫着部若しくは縫い代）８ａを有する前袖刳り部８と後袖刳り線（又は線状の後袖刳り縫着部若しくは縫い代）９ａを有する後袖刳り部９とを形成している。さらに、袖刳り部（アームホール）７の両端部（前袖刳り線８ａ及び後袖刳り線９ａの端部）は、前身頃２と後身頃３との縫着状態において、脇線１２上（脇下部）に位置する鎌底部１１を形成している。すなわち、前袖刳り線８ａ及び後袖刳り線９ａと脇線１２との交点部は鎌底部１１を形成している。なお、この例では、前袖刳り部８（前袖刳り線（又は線状縫着部）８ａ）の湾曲度は、肩部の前方に膨らむ三角筋の部位に対応して、後袖刳り部９（後袖刳り線（又は線状縫着部）９ａ）の湾曲度よりも大きく（曲率半径が小さく）形成されており、前記前身頃２及び後身頃３は、裾部を形成する裾線１３を備えている。
【００２６】
前記袖部２１の袖山部２５の頂部は、ショルダーポイントＳＰを形成し、このショルダーポイントから、袖部２１の長手方向に沿って袖部２１の幅方向のほぼ中心部を延びる袖山線（袖中心線）２４により、前身頃２及び後身頃３にそれぞれ縫着するための前袖部２２と後袖部２３とに区画されている。前記袖部２１は、前記前身頃２及び後身頃３の袖刳り部７と縫着するための袖山部２５と、この袖山部から袖口部（図示せず）に延びて、腕が挿入可能な筒部を形成するための袖下部（袖底部）３０とを備えており、この袖下部（袖底部）３０は袖下線３０ａを有している。なお、袖山部２５の袖山ラインの長さは、前記前身頃２及び後身頃３の袖刳り部（アームホール）７の長さに対応している。また、袖下部３０の幅は、前記袖山部２５から袖口部にいくにつれて小さくし、袖を先細状に形成してもよく、袖口部で大きく形成してもよく、袖下部３０の幅は、袖口部と同じ幅であってもよい。
【００２７】
そして、アームホール（袖刳り部）７に縫着される袖山部２５は、肩先に対応する前記ショルダーポイントＳＰから両側部方向にそれぞれなだらかに湾曲して下降する山形状の第１の湾曲部（湾曲下降部又は第１の山部）２６と、この第１の湾曲部の両側部の所定の変曲部（谷部）ＩＰからなだらかに湾曲して上昇して、前記前身頃２及び後身頃３の袖刳り部（アームホール）７の鎌底部１１に対応する部位（袖山端部という場合がある）２９ａ，２９ｂに至る第２及び第３の湾曲部（湾曲上昇部又は第２の山部の頂部に至る湾曲傾斜部）２７，２８（第２の湾曲部２７及び第３の湾曲部２８）とを備えており、袖山端部２９ａ，２９ｂは、第２及び第３の湾曲部２７，２８と袖下線３０ａとの交点部で形成されている。すなわち、第２及び第３の湾曲部２７，２８は、図１及び図２に示されるように、前記第１の湾曲部（第１の山部）２６の両側部にそれぞれ隣接しており、この形態の第２及び第３の湾曲部２７，２８は、第１の変曲部２６の両側部の変曲部（谷部）ＩＰからそれぞれ側部方向（袖山端部２９ａ，２９ｂ方向）に行くにつれて上昇し、両側部の袖山端部２９ａ，２９ｂに至る形態を有している。また、袖山部２５の縁部（袖山ライン、袖付け線又は袖付け縫着部）は、前記第１の湾曲部（湾曲下降部又は山形状湾曲袖部）２６の袖付け部の袖山ライン（袖付け線又は袖付け縫着部）２６ａと、前記第２及び第３の湾曲部（湾曲上昇部）２７，２８の袖付け部の袖山ライン（袖付け線又は袖付け縫着部）２７ａ，２８ａとを備えている。第２及び第３の湾曲部２７，２８は、特許文献４と異なり、前身頃２及び後身頃３のアームホール７の鎌底部１１に対応する袖山端部２９ａ，２９ｂに向かって下降する下降域を備えていてない。なお、この例では、前記第１の湾曲部（湾曲下降部）２６に隣り合う第２及び第３の湾曲部（湾曲上昇部）２７，２８は、袖山線２４を中心線として非対称の形態を有している。
【００２８】
さらに、第２及び第３の湾曲部（湾曲上昇部）２７，２８のうち前記鎌底部１１に対応する袖山端部２９ａ，２９ｂ(湾曲上昇部２７，２８の端部又は鎌底部１１との縫着部)は、皺部や膨出部などで生成するのを防止するため、前記ショルダーポイントＳＰよりも低い位置に位置させている。すなわち、袖山部２５の袖付け部の袖山ライン（袖付け線又は袖付け縫着部、縫い代）は、第１の山部（第１の湾曲部）２６のラインと、第１の山部の両側部に隣接して第１の山部の頂部よりも低い第２の山部のラインとを備えた形態において、中央部のなだらかな第１の山部（第１の湾曲部）２６の稜線（山形湾曲ライン）と、変曲部（谷部）ＩＰを経て、第２の山部の頂部に至るまでの湾曲傾斜部（湾曲上昇傾斜部）の稜線（湾曲傾斜ライン）２７ａ，２８ａとを備えた形態を有しており、第２の山部の頂部からさらに側部方向に下降する下降線を備えていない。
【００２９】
より具体的には、本発明では、通常の袖部にはない第２及び第３の湾曲部（第２の山部の傾斜部）２７，２８を形成することにより、前身頃２及び後身頃３のシルエット（デザイン）を変更することなく、デザイン性及び運動機能性を改善している。すなわち、デザイン性を損なわないため、前記変曲部（谷部）ＩＰは、袖幅方向において、それぞれ、前袖部２２及び後袖部２３のほぼ中央部に位置している。具体的には、袖山線２４を中心として、前袖部２２及び後袖部２３の各幅を「Ｗ」（袖部２１全体の袖幅＝約２Ｗ）としたとき、前袖部２２及び後袖部２３の変曲部（谷部）ＩＰは、それぞれ、袖山線２４から０．４Ｗ〜０．６Ｗの範囲に位置していてもよい。
【００３０】
さらに、前記前袖部２２及び後袖部２３において、ショルダーポイントＳＰから変曲部（谷部）ＩＰに至る長さＡ及びＢは、それぞれ、前記変曲部（谷部）ＩＰから鎌底部１１に対応する袖山端部２９ａ，２９ｂに至る長さＣ及びＤよりも小さくてもよい。そのため、第２及び第３の湾曲部（第２の山部の湾曲傾斜部）２７ａ，２８ａの面積を大きくして所定の運動量の余裕部を、視野から隠れる脇下部に形成できる。
【００３１】
さらには、通常又は従来の袖部と比較して、ショルダーポイントＳＰ、鎌底部１１に対応する袖山端部２９ａ，２９ｂ、及び変曲部ＩＰの高さ位置は、図２に示すような位置関係となる。すなわち、従来の代表的又は一般的な袖部を、袖山部の袖山ライン（袖付け線又は袖付け縫着部）が、ショルダーポイントＳＰから湾曲して下降して鎌底部に対応する部位（袖山端部）３２ａ，３２ｂに至る単一の湾曲ライン（点線）３１を有する基準袖部（又は比較袖部）とし、この基準袖部において前袖部の袖山端部３２ａと後袖部の袖山端部３２ｂとを結ぶ直線を仮想の基準直線３３とし、この基準直線からのショルダーポイントＳＰの高さを「Ｘ」、前記基準直線３３からの鎌底部に対応する部位（袖山端部）２９ａ，２９ｂの高さを「Ｙ」としたとき、Ｙ＝０．７Ｘ〜０．９Ｘの関係を満たしてもよく、前記基準直線３３からの変曲部ＩＰの高さを「Ｚ」としたとき、Ｚ＜Ｙ＜Ｘ及びＺ＝０．５５Ｘ〜０．８Ｘの関係を満たしてもよい。
【００３２】
なお、前記第２及び第３の湾曲部２７，２８の袖付け部の袖山ライン（袖付け線又は縫い代）２７ａ，２８ａの長さＣ，Ｄは、前記基準袖部において、仮想の湾曲ライン（点線）３１のうち変曲部ＩＰから袖山端部３２ａ．３２ｂに至る長さと同じである。
【００３３】
上記袖部２１と、前袖部２及び後身頃３とを慣用の方法で縫合することにより、上衣１を作製できる。例えば、上記袖部２１の袖山部２５の袖付け部（袖付け線又は袖付け縫着部２６ａ，２７ａ，２８ａ）と、前袖部２及び後身頃３のアームホール（袖刳り部）７（前袖刳り部８及び後袖刳り部９の前袖刳り線又は縫着部８ａ及び後袖刳り線又は縫着部９ａ）とを互いに縫着することにより、前身頃２及び後身頃３の袖刳り部７の上部及び前後部に余裕部を付加することなく、脇下部に所定の運動量の余裕部が形成された上衣１を形成できる。なお、前記のように、袖下部（又は袖底部）３０を縫着することにより、上腕が挿入可能な筒状の袖を形成できる。
【００３４】
このような上衣１では、ショルダーポイントＳＰからの第１の湾曲部（第１の山部）２６が、シルエット（デザイン）を変更していない従来の袖部（基準袖部）の湾曲ライン３１に沿っているため、肩線１０から袖に沿って自然なラインを形成し、皺部や膨出部などが生成することがない。そのため、生地を有効に利用できる。しかも、袖山部２５の第２及び第３の湾曲部（湾曲傾斜部）２７，２８が、従来の袖部（基準袖部）の湾曲ライン３１と異なり、両側端部にいくにつれてショルダーポイントＳＰの方向に湾曲して上昇して、アームホール（袖刳り部）７の鎌底部１１に対応する袖山端部２９ａ，２９ｂに至るため、第２及び第３の湾曲部（湾曲傾斜部）２７，２８の領域により、上腕を降ろした状態では、視野から隠れる脇下部に運動余裕部（運動部）を形成できる。すなわち、上腕を袖部２１（又は袖部２１の筒部）に沿って延ばすと、図３の円形の鎖線で示すように、脇下部に運動余裕部（運動部）が位置するため、上腕を降ろした状態では、運動余裕部を脇下部に隠すことができる。そのため、脇袖下部にバイアスを形成しなくても、さらに非伸縮性生地又は伸びにくい生地で長袖の上衣を作製しても、外観デザインを損なうことなく、少なくとも上下方向の運動量を確保できる。従って、通勤、通学、就寝などで上腕を上下方向に動かす機会の多い上衣、例えば、シャツ、ブラウス、ジャケット、パジャマなどとして有用である。
【００３５】
なお、前記セットイン袖では、袖下線３０ａに対応する袖下（又は袖底）に沿って前記前袖部２２と後袖部２３との縫い目が形成される。このような縫い目（又は袖下線）は、前袖部２２及び後袖部２３において、袖下線又は切替え線の位置（幅方向の位置）を変更することにより、袖の幅方向の所定箇所で袖の長手方向に沿って形成できる。
【００３６】
図４及び図５は、セットイン一枚袖で形成された上衣を作製するための他のパターン（型紙）を示している。なお、前記図１及び図２と同じ部位及び機能が同じ部位などについては、同一の符号を付して説明する（以下、同じ）。また、図５には、前記前身頃４２及び後身頃４３の半分を図示している。また、図５には、前記図１及び図２に示す袖部との関係を示すため、参考までに、図２に示す仮想の湾曲ライン３１及び袖山端部３２ａ．３２ｂを破線で示している。
【００３７】
図４及び図５に示されるように、上衣４１は、前身頃４２及び後身頃４３と、長袖用の袖部６１とを備えており、前身頃４２及び後身頃４３は、それぞれ、前襟刳り（衿ぐり）部４５及び後襟刳り（衿ぐり）部４６と、袖部６１と縫着するための円弧状又は湾曲状の袖刳り部（アームホール）４７とを備えており、前後襟刳り（衿ぐり）部４５，４６は、円弧状又は湾曲状の襟刳り（衿ぐり）部を形成している。前記袖刳り部（アームホール）４７は、前身頃４２と後身頃４３との縫着状態において、脇線５２上（脇下部）に位置する鎌底部５１を有している。すなわち、前記袖刳り部（アームホール）４７は、前袖刳り線４８ａを有する前袖刳り部４８と後袖刳り線４９ａを有する後袖刳り部４９とを有しており、前記前袖刳り線４８ａ及び後袖刳り線４９ａと、脇線５２との交点部は鎌底部５１を形成している。なお、前記前身頃４２及び後身頃４３は、それぞれ、幅方向の中心線（前中心線（一点鎖線で示す仮想線）４４ａ及び後中心線（一点鎖線で示す仮想線）４４ｂ）を中心として非対称又は対称（線対称）の形態で形成されている。
【００３８】
前記袖刳り部（アームホール）４７は、前記と同様に、肩線５０上に位置するショルダーポイント（着衣状態で肩先に対応する部位又は点）ＳＰを有している。
【００３９】
一方、袖部６１は、後袖部２３に切替え線６２ａが形成された形態（すなわち、後袖２３の一部が、前袖部２３に幅方向に隣接して移動又はシフトした形態）を有している。すなわち、図５に示されるように、図１及び図２において、幅方向の一方の側部に位置する第２の湾曲部（湾曲上昇部）２７と、幅方向の他方の側部に位置する前記第３の湾曲部（湾曲上昇部）２８とが頂部２９からの袖下線３０ａを共有して互いに隣接して、第２の山部（山形状の湾曲部）を形成し；この第２の山部２７，２８が前記第１の湾曲部（第１の山部）２６の一方の側部に隣接した形態を有している。図５に示す例では、図１及び図２に示す袖部２１の形態において、後袖２３は、変曲部（谷部）ＩＰから長手方向に延びる切替え線６２ａに沿って切離されて、後袖部２３として残存する第１の後袖部（残存後袖部）２３ａと；後袖部２３から切離され、前袖部２２の袖下線３０ａに隣接して接続又は位置する第２の後袖部（接続後袖部）２３ｂとを備えた形態を有しており；前記第２の後袖部（接続後袖部）２３ｂは前記第３の湾曲部２８に対応している。
【００４０】
より詳細には、図５に示す例では、変曲部（谷部）ＩＰが幅方向の中心部（又は中央域）に位置し、この中央部の変曲部（谷部）ＩＰの両側部に第１の湾曲部（第１の山部）２６と第２の山部（第２の湾曲部２７と第３の湾曲部２８とが隣接して形成された山部）とが隣接し、袖山部２５の両端部（袖山ライン２６ａの両端部）にも変曲部（谷部）ＩＰが位置する形態を有している。また、後袖部２３は、袖山線２４側に位置する第１の後袖部２３ａと、袖下線３０ａ側に位置する第２の後袖部２３ｂとを備えている。袖山部２５は、前袖部２２と後袖部２３（２３ａ，２３ｂ）とを区画する袖山線２４上に位置するショルダーポイントＳＰを中心として両側部方向にそれぞれなだらかに湾曲下降して変曲部（谷部）ＩＰに至る第１の湾曲部（第１の山部）２６と；袖下線３０ａを中心として、前記第２及び第３の湾曲部２７，２８が隣接して形成された頂部２９（図１及び図２に示す袖部２１の袖山端部２９ａ，２９ｂに対応）を有する第２の山部とを備えており、この第２の山部は、前記頂部２９から両側部方向にそれぞれなだらかに湾曲下降して中央部の変曲部（谷部）ＩＰと、前袖部２２の一方の端部の変曲部（谷部）ＩＰとに至る袖山ラインを備えている。第２の山部２７，２８の頂部２９は、前記袖刳り部（アームホール）４７の鎌底部５１と縫着される。
【００４１】
このようなセットインタイプの上衣では、切替え線６２ａが後袖部２３に形成されているため、前袖部２３と後袖部２３との縫い目を、袖下部ではなく、後袖部２３に形成できる。さらに、前記図１〜図３に示すセットインタイプの上衣と同様に、脇下部に余裕部（運動部）を形成でき、外観及びデザイン性を損なうことなく、運動機能性を高めることができる。
【００４２】
上衣の袖は、セットイン袖に限らず、身頃の一部が袖と合体したラグラン袖（ラグランスリーブ）であってもよい。図６は、ラグランタイプの上衣を示している。
【００４３】
前記ラグランタイプの上衣７１は、前身頃７２及び後身頃７３と、前身頃７２及び後身頃７３に形成された襟刳り（衿ぐり）部７４（前襟刳り部７５及び後襟刳り部７６）とを備えており、袖部８１は、図１及び図２に示すセットインタイプの第１の湾曲部に代えて、袖山線（袖中心線）２４に沿って延出し、前身頃７２の前襟刳り部７５及び後身頃７３の後襟刳り部７６との間に位置して襟刳り部７４の一部を形成する中間襟刳り部８６ａを備えた延出部８６を有している。
【００４４】
さらに、前身頃７２と後身頃７３とは、それぞれ、中間襟刳り部８６ａの両端部からゆるやかなＳ字状曲線の前袖刳り線（又は前袖刳り縫着部、ラグラン線）７８ａを有する前袖刳り部７８と後袖刳り線（又は後袖刳り縫着部、ラグラン線）７９ａを有する後袖刳り部７９を備え、袖刳り線（又は袖刳り縫着部）を有する袖刳り部（アームホール）７７を形成している。なお、袖刳り部（アームホール）７７は鎌底部１１を有しており、この鎌底部１１は、前袖刳り線７８ａ及び後袖刳り線７９ａと脇線１２との交点部で形成されている。また、ラグラン線に対応する前袖刳り線７８ａ及び後袖刳り線７９ａは、鎌底部１１にいくにつれて湾曲度が大きくなり、中間襟刳り部８６ａ側では比較的直線的に形成されている。なお、ラグランタイプの上衣では、身頃（前身頃７２及び後身頃７３）のラグラン線による袖刳り部ではなく、肩先のショルダーポイントＳＰと袖脇下部（鎌底部１１）とを含み、袖が納まる筒部（例えば、肩線の延長線に対して直交して袖脇下部（鎌底部１１）に至る筒部）をアームホールとすることができる。
【００４５】
このような前身頃７２及び後身頃７３の袖刳り部（アームホール）７７に逢着される袖部８１は、袖山線２４により前袖部８２と後袖部８３とに区画されており、前袖部８２及び後袖部８３において、前記延出部８６の袖付け部は、両側部に位置する第２及び第３の湾曲部（湾曲袖付け部）８７，８８の前袖付け線（又は袖付け縫着部）８７ａ部及び後袖付け線（又は袖付け縫着部）８８ａを備えている。さらに、前記延出部８６の袖付け部は、ラグラン線として、延出前袖付け線（又は袖付け縫着部）８７ｂ及び延出後袖付け線（又は袖付け縫着部）８８ｂを備えている。前袖付け線８７ａ部及び後袖付け線８８ａの端部は、前記と同様に、袖下線３０ａとの交点部において、前記前身頃７２及び後身頃７３の袖刳り部（アームホール）７７の鎌底部１１に対応する部位（袖山端部）２９ａ，２９ｂを形成している。なお、延出前袖付け線８７ｂ及び延出後袖付け線８８ｂと、前袖付け線８７ａ部及び後袖付け線８８ａとは、変曲部ＩＰを介して、連続してスムーズに曲線を形成しており、前記前袖刳り線（又は前袖刳り縫着部）７８ａ及び後袖刳り線（又は後袖刳り縫着部）７９ａとそれぞれ対応して、互いに縫着可能である。
【００４６】
なお、図示するラグランタイプの上衣において、肩先に位置するショルダーポイントＳＰを基準として、袖部８１のうち袖口側に位置する山部（又は領域）を、袖山部とすることができる。この袖山部は、前記図１〜図３に示すのと同様の形態を有している。なお、図１〜図３に示す袖山部２５の第１の湾曲部（山形状湾曲部又は袖山ライン）は鎖線で示している。
【００４７】
すなわち、第２及び第３の湾曲部（湾曲上昇部）８７，８８のうち前記鎌底部１１に対応する袖山端部２９ａ，２９ｂ（湾曲上昇部８７，８８の端部又は鎌底部１１との縫着部）は、前記と同様に、ショルダーポイントＳＰよりも低い位置に位置させている。
【００４８】
このようなラグランタイプの上衣７１でも、前記セットインタイプの上衣と同様に、脇袖下部に余裕部を形成でき、運動機能性を向上できるとともに、デザイン性及び外観品質を損なうことがない。
【００４９】
なお、ラグラン袖は、肩のラインの途中から脇下に向かって切り替えられたセミラグラン袖；後袖がラグランの形態を有し、前袖がセットイン袖の形態を有するスプリット・ラグラン袖などであってもよい。
【００５０】
本発明の上衣（上着）は、前身頃及び後身頃と袖部とを備えていればよく、身頃（前身頃及び後身頃）には、必要であれば、例えば、前身頃２，４２，７２の前袖刳り縫着部８ａ，７８ａ及び／又は後身頃３，４３，７３の後袖刳り縫着部９ａ，７９ａと、前袖部２２，８２の前袖付け縫着部２７ａ，８７ａ及び／又は後袖部２３，８３の後袖付け縫着部２８ａ，８８ａとに、大きな袖刳り、マチ、タックやプリーツ加工などを施して、肩部の上部方向及び／又は前後方向に膨らむ余裕部（運動部）を形成してもよいが、本発明では、このような余裕部を付加しなくても、脇袖下部に所定の運動量の余裕部（又はゆとり部）を形成でき、腕の動きに追従させることができる。さらに、必要であれば、脇袖下部にバイアスを形成してもよいが、本発明では、バイアスを形成しなくても脇袖下部に所定の運動量の余裕部（又はゆとり部）を形成できる。すなわち、本発明では、前身頃及び後身頃のシルエットを変更する必要がないため、前身頃及び後身頃の袖刳り部に余裕部を付加することなく、袖部と前袖部と後袖部とを互いに縫着することにより、着衣状態で肩部から腕部にかけて自然なラインを形成でき、デザイン性及び外観品質を高めることができるとともに、脇袖下部に余裕部（又はゆとり部）を形成できる。
【００５１】
前身頃２，４２，７２及び後身頃３，４３，７３の袖刳りライン（袖刳り縫着部）は、肩線を中心として対称形状であってもよいが、非対称形状である場合が多く、体型に応じて、前身頃２，４２，７２の前袖刳りライン（前袖刳り縫着部）８ａの湾曲度（又は曲率半径）が、後身頃３，４３，７３の後袖刳りライン（後袖刳り縫着部）９ａの湾曲度（又は曲率半径）よりも大きくてもよく小さくてもよい。
【００５２】
着衣状態及び展開状態で、袖部２１，６１，８１の袖山部２５を形成する第１の湾曲部（例えば、第１の山部）２６は、前記特許文献２と異なり、両側部においてショルダーポイントから湾曲して上昇して下降する山部を形成することなく、ショルダーポイントから湾曲して下降するライン（袖山ライン又は袖付け縫着部）を有していればよく、通常、なだらかな湾曲状のラインである場合が多い。特に、第１の湾曲部２６は、ショルダーポイントから両側部方向に湾曲して下降する山形状の形態（第１の山部）を有する場合が多い。前袖部と後袖部とは袖山線を中心として非対称形状又は対称形状であってもよく、体型に応じて、前袖部のライン（前袖山ライン又は前袖付け縫着部）の湾曲度は、後袖部のライン（後袖山ライン又は後袖付け縫着部）の湾曲度よりも大きくても小さくてもよく、互いに異なる湾曲形態であってもよい。
【００５３】
着衣状態及び展開状態において、第２の湾曲部２７，８７及び第３の湾曲部２８，８８は、前記第１の湾曲部２６の所定の変曲部（谷部）から湾曲して上昇して、前記前身頃及び後身頃のアームホールの鎌底部に至る形態（湾曲して傾斜した形態）を有しており、第２及び第３の湾曲部は、通常、特許文献４と異なり、前身頃及び後身頃のアームホールの鎌底部に対応する部位（袖山端部）に向かって下降する下降域を備えていていない場合が多い。すなわち、第２及び第３の湾曲部は、変曲部（谷部）から、側部方向（袖山端部方向）に行くにつれて上昇して（なだらかに膨らんで）湾曲した稜線の形態を少なくとも含んでおり、例えば、山形形状の稜線において、少なくとも裾部から山部の頂部又は途中部に至る稜線の形態を有していてもよい。
【００５４】
さらに、展開状態において、袖部の袖山部の第２の湾曲部と第３の湾曲部とは、変曲部を介して、第１の湾曲部（第１の山部）の両側部にそれぞれ位置していてもよく、袖下線を共有して山形状の湾曲部（第２の山部）を形成し、変曲部を介して、第１の湾曲部の一方の側部に位置していてもよい。袖部の袖山部は、例えば、下記（１）又は（２）のいずれかの形態を有していてもよい。
【００５５】
（１）ショルダーポイントから両側部方向に湾曲して下降する山形状の第１の湾曲部（第１の山部）と、この第１の湾曲部の両側部にそれぞれ第２の湾曲部と第３の湾曲部とが位置する形態
（２）ショルダーポイントから両側部方向に湾曲して下降する第１の湾曲部（第１の山部）と、この第１の湾曲部の一方の側部に、第２の湾曲部と第３の湾曲部とが袖下線を共有して形成された山形状の湾曲部（第２の山部）が位置する形態
【００５６】
例えば、図１及び図２に示されるように、前記第１の湾曲部（第１の山部）の両側部にそれぞれ第２の湾曲部と第３の湾曲部とが隣接する形態を基本形態（形態（１））とするとき、前記形態（２）を変更形態とすることができ、この変更形態（２）では、前記基本形態の袖部の幅方向の適所に、所望する袖部の縫目線の位置に対応して切替え線を長手方向に形成し、図５に示すような袖部を形成してもよい。また、変更形態（２）において、切替え線（及び袖下線）は、袖部の縫目線に対応させて、前袖部２２及び／又は後袖部２３の適所に形成でき、切替え線は、前記後袖部の変曲部（谷部）ＩＰに限らず、後袖部２３の変曲部ＩＰに隣接する部位、前袖部２２の変曲部（谷部）ＩＰ又はこの変曲部に隣接する部位などに形成してもよい。そのため、基本形態（１）において、第１の湾曲部（第１の山部）の一方の側部に位置する第２の湾曲部は、山形形状の稜線において、一方の裾部から一方の傾斜部に沿って上昇（湾曲して傾斜）し、頂部を経て、鎌底部に対応する部位（袖山端部）に向かって他方の傾斜部の途中部（袖下線若しくは接続線）にまで下降するほぼ半山形の形態を備え、他方の側部に位置する第３の湾曲部は、前記第２の湾曲部の前記途中部（袖下線若しくは接続線）から他方の裾部に下降する傾斜片状の形態を備えていてもよく；上記とは逆に、第２の湾曲部が傾斜片状の形態を備え、第３の湾曲部が半山形の形態を備えていてもよく；変更形態（２）において、前記半山形状の形態の第２の湾曲部と傾斜片状の形態の第３の湾曲部とが袖下線（又は接続線）を共有して第２の山部（第１の山部に隣接する第２の山部）を形成してもよい。通常、第２の湾曲部及び第３の湾曲部は、山形の頂部から下降して袖山端部に至ることなく、裾部から山部の頂部に至るまでの稜線の形態を有している場合が多い。第２の湾曲部と第３の湾曲部とは、袖下線を中心として線対称の形態であってもよいが、通常、非対称の形態である場合が多い。
【００５７】
袖幅方向において、袖山部の変曲部（谷部、若しくは変曲点）は、前袖部及び後袖部において、それぞれ体型に応じて適所（中央部、袖山線側、又は袖山線から遠ざかる袖下部側）に位置していてもよく、前袖部及び後袖部の幅をそれぞれ「Ｗ」としたとき、袖山線から０．２５Ｗ〜０．８Ｗ、好ましくは０．３Ｗ〜０．７Ｗ、さらに好ましくは０．４Ｗ〜０．６Ｗ（例えば、０．４５Ｗ〜０．５５Ｗ）程度の位置に形成してもよい。変曲部（又は変曲点）が袖山線側に近づきすぎると、デザイン性が低下しやすくなり、袖山線から過度に遠ざかると、第２及び第３の湾曲部による余裕部での運動量が小さくなる。そのため、着衣状態において、変曲部は、袖幅方向において、前袖部及び後袖部の中央部に位置する場合が多い。なお、変曲部（谷部、若しくは変曲点）の位置は、第１の湾曲部と、第２の湾曲部及び第３の湾曲部とが交わる点（曲率が「０」となる点）とすることができる。
【００５８】
さらに、前袖部及び後袖部において、それぞれ、ショルダーポイントから前記変曲部（谷部）への長さと、変曲部（谷部）から鎌底部に対応する部位（袖山端部）への長さとは、互いに同じであってもよく、異なっていてもよい。例えば、前記のように、前袖部及び後袖部において、ショルダーポイントから変曲部への長さを「Ａ」及び「Ｂ」とし、前記変曲部から鎌底部に対応する部位（袖山端部）への長さを「Ｃ」及び「Ｄ」としたとき、それぞれ、Ｃ＜Ａ，Ｃ＝Ａ，Ｃ＞Ａ、及びＤ＜Ｂ，Ｄ＝Ｂ，Ｄ＞Ｂの関係を満たしてもよく、通常、「Ｃ」及び「Ｄ」は、「Ａ」及び「Ｂ」に比べて、それぞれ同等又は大きくてもよく（Ｃ≧Ａ及びＤ≧Ｂ）、特に大きい場合が多い（Ｃ＞Ａ及びＤ＞Ｂ）。ショルダーポイントから変曲部への長さ「Ａ」及び「Ｂ」が大きすぎると、第２及び第３の湾曲部による余裕部での運動量が小さくなり、小さすぎると肩部などに皺部や膨出部などが生成しやすくなり、デザイン性が低下する。
【００５９】
さらに、第２及び第３の湾曲部のうち前記鎌底部に対応する部位（袖山端部、第２及び第３の湾曲部又は湾曲上昇部の端部）は前記ショルダーポイントよりと同等（又は同じ）若しくはショルダーポイントも低い位置に位置している。例えば、前記図２に示すように、従来の代表的又は一般的な袖部、すなわち、袖山部の袖山ライン（袖付け線又は袖付け縫着部）が、ショルダーポイントＳＰから湾曲して下降して鎌底部に対応する部位（袖山端部）３２ａ，３２ｂに至る単一の仮想の湾曲ライン（点線）３１を有する基準袖部（又は比較袖部）とし、この基準袖部において前袖部の袖山端部３２ａと後袖部の袖山端部３２ｂとを結ぶ直線を仮想の基準直線（補助線）３３とし、この基準直線からのショルダーポイントＳＰの高さを「Ｘ」、前記基準直線（補助線）３３からの鎌底部に対応する部位（袖山端部）２９ａ，２９ｂの高さを「Ｙ」、前記基準直線３３からの変曲部ＩＰの高さを「Ｚ」としたとき、これらの高さ「Ｘ」「Ｙ」「Ｚ」の関係は以下のようであってもよい。すなわち、袖山端部の高さ「Ｙ」は、ショルダーポイントＳＰの高さ「Ｘ」と同等又は同じ（Ｙ≒Ｘ）であってもよく、通常、高さ「Ｘ」よりも低い（Ｙ＜Ｘ）場合が多い。袖山端部の高さ「Ｙ」は、ショルダーポイントＳＰの高さ「Ｘ」に対して、例えば、３０〜９８％（例えば、４０〜９５％）、好ましくは５０〜９７％（例えば、６０〜９０％）、さらに好ましくは７０〜９５％（例えば、７５〜９０％）、特に、８０〜９５％（例えば、８５〜９０％）程度であってもよい。変曲部ＩＰの高さ「Ｚ」は、ショルダーポイントＳＰの高さ「Ｘ」に対して、例えば、２０〜８５％（例えば、３０〜８０％）、好ましくは５０〜８０％（例えば、５５〜７５％）、さらに好ましくは６０〜７５％（例えば、６０〜７０％）程度であってもよい。変曲部ＩＰの高さ「Ｚ」は、通常、袖山端部の高さ「Ｙ」よりも小さい。
【００６０】
なお、袖部は、上下左右が非対称又は対称であってもよく、前記のように、通常、非対称である場合が多い。また、袖部（セットイン袖など）は、一枚袖に限らず、二枚袖であってもよい。このような二枚袖は、前記前袖部及び後袖部に対応する２つの袖部（例えば、外袖部及び内袖部）で形成でき、２枚の袖部の縫い目（縫着部）は前記図１〜３に示す例と異なり、袖下（又は袖底）から延びている必要はない。
【００６１】
また、上衣は、セットイン袖（セットインスリープ）又はラグラン袖（ラグランスリーブ）のいずれかの袖部を備えていてもよい。本発明は、脇下部に余裕部（又はゆとり部）を形成できるため、セットイン袖に好適に適用でき、このセットイン袖を備えた上衣に効果的である。
【００６２】
本発明では、前身頃及び後身頃の袖刳り部に余裕部を付加することなく、袖部と前袖部と後袖部とを互いに縫着することにより、第２及び第３の湾曲部の領域（面積）により脇下部に余裕部（運動部）が付与でき、上腕を下に降ろした状態では、余裕部を脇下に隠すことができ、上腕を上方に上げても、身頃の引っ張り量を前記運動部で吸収でき、突っ張り感がない。そのため、上衣は、長袖、八分袖、七分袖、五分袖及び半袖のいずれの袖を備えていても、デザイン性及び運動機能性を向上できる。特に、袖が長くなるにつれて、上腕の上方への移動に伴って身頃の引っ張り量が大きくなるものの、前記脇下部の余裕部で引っ張り量を吸収できる。さらに、生地は伸縮性生地であってもよいが、前記のように、上腕の上方への移動に伴って身頃の引っ張り力が大きく作用する非伸縮性生地を用いても、デザイン性及び運動機能性を向上できる。そのため、本発明は非伸縮性生地又は伸びにくい生地で長めの袖を有する上衣を形成するのに有用である。
【００６３】
本発明の上衣は、伸縮性生地で作製してもよいが、非伸縮性生地及び／又は伸縮性の少ない生地であっても、運動量を確保できる。そのため、非伸縮性生地及び／又は伸びにくい生地を利用した上衣に有効である。さらに、本発明の上衣は、長袖、八分袖、七分袖、五分袖、半袖などを有していてもよい。一般に、袖が長くなるほど、運動性が低下しやすいものの、本発明の上衣は、袖部が長くても運動量を大きくできる。そのため、長袖、八分袖、七分袖などの袖部の長い上衣に有効に適用できる。
【００６４】
なお、生地は、例えば、ＪＩＳ Ｌ １０９６ Ａ法（ストリップ法）に準拠して測定したとき、縦方向の破断伸縮度が、０〜３０％、好ましくは１〜２５％、さらに好ましくは３〜１５％程度の生地であってもよい。
【産業上の利用可能性】
【００６５】
本発明は、運動機能性とデザイン性とを備えているため、上腕を大きく動かす上衣（スポーツ用上衣、作業用上衣、学生服、セーラー服、白衣など）にも利用でき、室内及び屋外用上衣のいずれであってもよい。例えば、カジュアルシャツ、ビジネスシャツ、ポロシャツ、Ｔシャツ、ブラウスなどのシャツ類（又はトップス類）、パジャマ類、ジャケット、ジャンパー、ダウンジャケット、ブレザーなどのジャケット類、トレンチコート、レインコートなどのコート類、ワンピース、ドレスなどのワンピース類、つなぎ類などに適用できる。特に、デザイン性と運動機能性とが要求される上衣、例えば、シャツ類（中でも、カジュアルシャツ、ビジネスシャツ、ブラウス）、パジャマ類などに有効である。
【符号の説明】
【００６６】
１，４１，７１…上衣
２，４２，７２…前身頃
３，４３，７３…後身頃
７，４７，７７…袖刳り部（アームホール）
８，４８，７８…前袖刳り部
９，４９，７９…後袖刳り部
１１，５１…鎌底部
２１，６１，８１…袖部
２２，８２…前袖部
２３（２３ａ，２３ｂ），８３…後袖部
２４…袖山線（袖中心線）
２５…袖山部
２６…第１の湾曲部
２７，８７…第２の湾曲部
２８，８８…第３の湾曲部
２９ａ，２９ｂ…鎌底部に対応する部位（袖山端部）
ＳＰ…ショルダーポイント
ＩＰ…変曲部（谷部）
【図１】
2020190038.tif 000003
【図２】
2020190038.tif 000004
【図３】
2020190038.tif 000005
【図４】
2020190038.tif 000006
【図５】
2020190038.tif 000007
【図６】
2020190038.tif 000008
【手続補正書】
【提出日】令和1年12月12日(2019.12.12)
【手続補正１】
【補正対象書類名】特許請求の範囲
【補正対象項目名】全文
【補正方法】変更
【補正の内容】
【特許請求の範囲】
【請求項１】
前身頃及び後身頃と袖部とを備えた上衣であって、
前記前身頃及び後身頃の袖刳り部には余裕部が付加されておらず、
着衣状態の着用者の身長方向において、前記袖部の袖山部が、肩先に対応するショルダーポイントから湾曲して下降する第１の湾曲部と、
この第１の湾曲部の両側部に位置し、前記第１の湾曲部の所定の変曲部から湾曲して上昇して、前記前身頃及び後身頃のアームホールの鎌底部に至る第２及び第３の湾曲部とを備えており、
この第２及び第３の湾曲部が袖山端部に向かって下降する下降部を備えておらず、
前記変曲部が、袖幅方向において、前袖部及び後袖部の中央部又は中央域に位置するとともに、前記袖山端部の高さよりも低い位置に位置し、
前記第２及び第３の湾曲部の前記袖山端部が前記ショルダーポイントと同等若しくはショルダーポイントよりも低い位置に位置し、
袖下部を含めて前記袖山部の袖付け部と前記袖刳り部とが縫着されている、上衣。
【請求項２】
展開状態において、袖部の袖山部が、下記（１）又は（２）のいずれかの形態を有する請求項１記載の上衣。
（１）ショルダーポイントから両側部方向に湾曲して下降する山形状の第１の湾曲部と、この第１の湾曲部の両側部にそれぞれ第２の湾曲部と第３の湾曲部とが位置する形態
（２）ショルダーポイントから両側部方向に湾曲して下降する第１の湾曲部と、この第１の湾曲部の一方の側部に、第２の湾曲部と第３の湾曲部とが袖下線を共有して形成された山形状の湾曲部が位置する形態
【請求項３】
第２及び第３の湾曲部が、それぞれ、変曲部からなだらかに湾曲して上昇して袖山端部に至る形態を有しており、
前記第２及び第３の湾曲部の袖山端部がショルダーポイントよりも低い位置に位置し、
袖部と前袖部と後袖部とが互いに縫着されている請求項１又は２記載の上衣。
【請求項４】
袖部の前袖部及び後袖部において、それぞれ、変曲部から袖山端部への長さが、ショルダーポイントから前記変曲部への長さと同等又は大きい請求項１〜３のいずれかに記載の上衣。
【請求項５】
前袖部及び後袖部の幅をそれぞれ「Ｗ」としたとき、変曲部が、袖幅方向において、袖山線から０．４Ｗ〜０．６Ｗに位置する請求項１〜４のいずれかに記載の上衣。
【請求項６】
ＪＩＳ Ｌ １０９６ Ａ法（ストリップ法）に準拠して測定したとき、縦方向の破断伸縮度が０〜３０％の生地で形成されている請求項１〜５のいずれかに記載の上衣。
【請求項７】
長袖、八分袖、七分袖、五分袖及び半袖から選択された少なくとも一種の袖部を備えた請求項１〜６のいずれかに記載の上衣。
【請求項８】
第２及び第３の湾曲部の領域により脇下部に余裕部が付与されている請求項１〜７のいずれかに記載の上衣。
【手続補正２】
【補正対象書類名】明細書
【補正対象項目名】００１１
【補正方法】変更
【補正の内容】
【００１１】
本発明者らは、前記課題を達成するため鋭意検討した結果、身頃のシルエットを変えることなく、袖部の形態を工夫し、袖部の袖山部を、ショルダーポイントから両側部方向に湾曲して下降する第１の湾曲部（湾曲下降部）と、この第１の湾曲部の所定の変曲部から湾曲して上昇して前記前身頃及び後身頃のアームホールの鎌底部に至る第２及び第３の湾曲部（湾曲上昇部）とで形成し、第２及び第３の湾曲部のうち前記鎌底部に対応する部位（袖山端部）の位置を前記ショルダーポイントと同等（又は同じ）若しくはショルダーポイントよりも低く位置させると、身頃のシルエットを変えることなく、前記第２及び第３の湾曲部により袖下に余裕部を形成でき、運動機能性とデザイン性とを両立できることを見いだし、本発明を完成した。
【手続補正３】
【補正対象書類名】明細書
【補正対象項目名】００１２
【補正方法】変更
【補正の内容】
【００１２】
すなわち、本発明の上衣は、身頃（前身頃及び後身頃）と袖部とを備えており、着衣状態において、この袖部の袖山部が、肩先に対応するショルダーポイントから湾曲して下降する第１の湾曲部（両側部方向に湾曲して下降する湾曲下降部）と、この第１の湾曲部の両側部にそれぞれ位置し、前記第１の湾曲部の所定の変曲部から湾曲して上昇して、前記前身頃及び後身頃のアームホールの鎌底部に至る第２及び第３の湾曲部（湾曲上昇部）とを備えている。この第２及び第３の湾曲部（湾曲上昇部）のうち前記鎌底部に対応する部位(湾曲上昇部の端部又は鎌底部との縫着部)が前記ショルダーポイントと同等若しくはショルダーポイントよりも低い位置に位置している。すなわち、袖山部の袖付け部（袖付け線）は、前記第１の湾曲部（湾曲下降部）の袖付け部（袖付け線）と、前記第２及び第３の湾曲部（湾曲上昇部）の袖付け部（袖付け線）とを備えており、この第２及び第３の湾曲部（湾曲上昇部）の袖付け部（袖付け線）のうち前記鎌底部に対応する部位(鎌底部との縫着部)は、前記ショルダーポイントと同等若しくはショルダーポイントよりも低い位置に位置している。このような袖部を利用すると、身頃のシルエットを変えることなく、しかも肩線から袖部が上方に延びることなく、第２及び第３の湾曲部により脇下部に余裕部を形成できる。そのため、デザイン性（外観品質）及び運動機能性（例えば、上下方向への運動機能性）を高めることができる。
【手続補正４】
【補正対象書類名】明細書
【補正対象項目名】００１８
【補正方法】変更
【補正の内容】
【００１８】
そのため、本発明の上衣では、非伸縮性生地及び／又は伸びにくい生地で形成しても、第２及び第３の湾曲部の領域により脇下部に余裕部を付与でき、運動量を確保できる。また、長袖、八分袖、七分袖、五分袖及び半袖から選択された少なくとも一種の袖部を備えていてもよい。
【手続補正５】
【補正対象書類名】明細書
【補正対象項目名】００３４
【補正方法】変更
【補正の内容】
【００３４】
このような上衣１では、ショルダーポイントＳＰからの第１の湾曲部（第１の山部）２６が、シルエット（デザイン）を変更していない従来の袖部（基準袖部）の湾曲ライン３１に沿っているため、肩線１０から袖に沿って自然なラインを形成し、皺部や膨出部などが生成することがない。そのため、生地を有効に利用できる。しかも、袖山部２５の第２及び第３の湾曲部（湾曲傾斜部）２７，２８が、従来の袖部（基準袖部）の湾曲ライン３１と異なり、両側端部にいくにつれてショルダーポイントＳＰの方向に湾曲して上昇して、アームホール（袖刳り部）７の鎌底部１１に対応する袖山端部２９ａ，２９ｂに至るため、第２及び第３の湾曲部（湾曲傾斜部）２７，２８の領域により、上腕を降ろした状態では、視野から隠れる脇下部に余裕部を形成できる。すなわち、上腕を袖部２１（又は袖部２１の筒部）に沿って延ばすと、図３の円形の鎖線で示すように、脇下部に余裕部が位置するため、上腕を降ろした状態では、余裕部を脇下部に隠すことができる。そのため、脇袖下部にバイアスを形成しなくても、さらに非伸縮性生地又は伸びにくい生地で長袖の上衣を作製しても、外観デザインを損なうことなく、少なくとも上下方向の運動量を確保できる。従って、通勤、通学、就寝などで上腕を上下方向に動かす機会の多い上衣、例えば、シャツ、ブラウス、ジャケット、パジャマなどとして有用である。
【手続補正６】
【補正対象書類名】明細書
【補正対象項目名】００４１
【補正方法】変更
【補正の内容】
【００４１】
このようなセットインタイプの上衣では、切替え線６２ａが後袖部２３に形成されているため、前袖部２３と後袖部２３との縫い目を、袖下部ではなく、後袖部２３に形成できる。さらに、前記図１〜図３に示すセットインタイプの上衣と同様に、脇下部に余裕部を形成でき、外観及びデザイン性を損なうことなく、運動機能性を高めることができる。
【手続補正７】
【補正対象書類名】明細書
【補正対象項目名】００５０
【補正方法】変更
【補正の内容】
【００５０】
本発明の上衣（上着）は、前身頃及び後身頃と袖部とを備えていればよく、身頃（前身頃及び後身頃）には、必要であれば、例えば、前身頃２，４２，７２の前袖刳り縫着部８ａ，７８ａ及び／又は後身頃３，４３，７３の後袖刳り縫着部９ａ，７９ａと、前袖部２２，８２の前袖付け縫着部２７ａ，８７ａ及び／又は後袖部２３，８３の後袖付け縫着部２８ａ，８８ａとに、大きな袖刳り、マチ、タックやプリーツ加工などを施して、肩部の上部方向及び／又は前後方向に膨らむ余裕部を形成してもよいが、本発明では、このような余裕部を付加しなくても、脇袖下部に所定の運動量の余裕部（又はゆとり部）を形成でき、腕の動きに追従させることができる。さらに、必要であれば、脇袖下部にバイアスを形成してもよいが、本発明では、バイアスを形成しなくても脇袖下部に所定の運動量の余裕部（又はゆとり部）を形成できる。すなわち、本発明では、前身頃及び後身頃のシルエットを変更する必要がないため、前身頃及び後身頃の袖刳り部に余裕部を付加することなく、袖部と前袖部と後袖部とを互いに縫着することにより、着衣状態で肩部から腕部にかけて自然なラインを形成でき、デザイン性及び外観品質を高めることができるとともに、脇袖下部に余裕部（又はゆとり部）を形成できる。
【手続補正８】
【補正対象書類名】明細書
【補正対象項目名】００６２
【補正方法】変更
【補正の内容】
【００６２】
本発明では、前身頃及び後身頃の袖刳り部に余裕部を付加することなく、袖部と前袖部と後袖部とを互いに縫着することにより、第２及び第３の湾曲部の領域（面積）により脇下部に余裕部が付与でき、上腕を下に降ろした状態では、余裕部を脇下に隠すことができ、上腕を上方に上げても、身頃の引っ張り量を前記余裕部で吸収でき、突っ張り感がない。そのため、上衣は、長袖、八分袖、七分袖、五分袖及び半袖のいずれの袖を備えていても、デザイン性及び運動機能性を向上できる。特に、袖が長くなるにつれて、上腕の上方への移動に伴って身頃の引っ張り量が大きくなるものの、前記脇下部の余裕部で引っ張り量を吸収できる。さらに、生地は伸縮性生地であってもよいが、前記のように、上腕の上方への移動に伴って身頃の引っ張り力が大きく作用する非伸縮性生地を用いても、デザイン性及び運動機能性を向上できる。そのため、本発明は非伸縮性生地又は伸びにくい生地で長めの袖を有する上衣を形成するのに有用である。
【手続補正書】
【提出日】令和2年3月30日(2020.3.30)
【手続補正１】
【補正対象書類名】特許請求の範囲
【補正対象項目名】全文
【補正方法】変更
【補正の内容】
【特許請求の範囲】
【請求項１】
前身頃及び後身頃と袖部とを備えた上衣であって、
前記前身頃及び後身頃の袖刳り部には余裕部が付加されておらず、
着衣状態の着用者の身長方向において、前記袖部の袖山部が、肩先に対応するショルダーポイントから湾曲して下降する第１の湾曲部と、
この第１の湾曲部の両側部に位置し、前記第１の湾曲部の所定の変曲部から湾曲して上昇して、前記前身頃及び後身頃のアームホールの鎌底部に至る第２及び第３の湾曲部とを備えており、
この第２及び第３の湾曲部が袖山端部に向かって下降する下降部を備えておらず、
前記変曲部が、袖幅方向において、前袖部及び後袖部の中央部又は中央域に位置するとともに、前記袖山端部の高さよりも低い位置に位置し、
前記第２及び第３の湾曲部の前記袖山端部が前記ショルダーポイントと同等若しくはショルダーポイントよりも低い位置に位置し、
袖下部を含めて前記袖山部の袖付け部と前記袖刳り部とが縫着されている、上衣。
【請求項２】
展開状態において、袖部の袖山部が、下記（１）又は（２）のいずれかの形態を有する請求項１記載の上衣。
（１）ショルダーポイントから両側部方向に湾曲して下降する山形状の第１の湾曲部と、この第１の湾曲部の両側部にそれぞれ第２の湾曲部と第３の湾曲部とが位置する形態
（２）ショルダーポイントから両側部方向に湾曲して下降する第１の湾曲部と、この第１の湾曲部の一方の側部に、第２の湾曲部と第３の湾曲部とが袖下線を共有して形成された山形状の湾曲部が位置する形態
【請求項３】
第２及び第３の湾曲部が、それぞれ、変曲部から湾曲して上昇して袖山端部に至る形態を有しており、
前記第２及び第３の湾曲部の袖山端部がショルダーポイントよりも低い位置に位置し、
袖部と前袖部と後袖部とが互いに縫着されている請求項１又は２記載の上衣。
【請求項４】
袖部の前袖部及び後袖部において、それぞれ、変曲部から袖山端部への長さが、ショルダーポイントから前記変曲部への長さと同等又は大きい請求項１〜３のいずれかに記載の上衣。
【請求項５】
前袖部及び後袖部の幅をそれぞれ「Ｗ」としたとき、変曲部が、袖幅方向において、袖山線から０．４Ｗ〜０．６Ｗに位置する請求項１〜４のいずれかに記載の上衣。
【請求項６】
ＪＩＳ Ｌ １０９６ Ａ法（ストリップ法）に準拠して測定したとき、縦方向の破断伸縮度が０〜３０％の生地で形成されている請求項１〜５のいずれかに記載の上衣。
【請求項７】
長袖、八分袖、七分袖、五分袖及び半袖から選択された少なくとも一種の袖部を備えた請求項１〜６のいずれかに記載の上衣。
【請求項８】
第２及び第３の湾曲部の領域により脇下部に余裕部が付与されている請求項１〜７のいずれかに記載の上衣。